(57)【要約】【課題】葬送する骨を骨壺に収容することなく葬送することができる葬送体を提供すること。【解決手段】本発明では、葬送する骨をバインダーで所定形状に成形し、その成形体を骨壺に収容することなく葬送可能とした葬送体を提供するものである。前記バインダーとして生分解される材料を用いることができる。また、前記バインダーに分解菌や重金属や放射性物質などの有害物質の溶出を防止する材料を添加することができる。また、酸化カルシウム化した前記骨を炭酸カルシウム化させてもよく、さらには、水に浮くように浮力調整を行ってもよい。また、本発明では、葬送する骨をバインダーで所定形状に成形し、その成形体を骨壺に収容することなく葬送する葬送方法を提供するものである。【選択図】図１
2019103741.tif 000002
【特許請求の範囲】
【請求項１】
葬送する骨をバインダーで所定形状に成形し、その成形体を骨壺に収容することなく葬送可能としたことを特徴とする葬送体。
【請求項２】
前記葬送体は、時間の経過によって分解することを特徴とする請求項１に記載の葬送体。
【請求項３】
前記バインダーは、生分解される材料であることを特徴とする請求項２に記載の葬送体。
【請求項４】
前記バインダーに分解菌を添加したことを特徴とする請求項３に記載の葬送体。
【請求項５】
前記バインダーに有害物の溶出を防止する材料を添加したことを特徴とする請求項１〜請求項４のいずれかに記載の葬送体。
【請求項６】
酸化カルシウム化した前記骨を炭酸カルシウム化させることを特徴とする請求項１〜請求項５のいずれかに記載の葬送体。
【請求項７】
前記葬送体は、時間の経過によって化石化することを特徴とする請求項１〜請求項６のいずれかに記載の葬送体。
【請求項８】
前記葬送体は、水に浮くように浮力調整されていることを特徴とする請求項１〜請求項７のいずれかに記載の葬送体。
【請求項９】
葬送する骨をバインダーで所定形状に成形し、その成形体を骨壺に収容することなく葬送することを特徴とする葬送方法。
【発明の詳細な説明】
【技術分野】
【０００１】
本発明は、葬送体及び葬送方法に関するものである。
【背景技術】
【０００２】
従来においては、人や愛玩動物などの死後に火葬した骨を骨壺に収容して墓地等の所定の領域に埋葬することが一般的に行われている。
【０００３】
そして、骨壺として生分解可能な材料で形成したものを用いて、埋葬後に自然回帰するようにした埋葬も考えられている（たとえば、特許文献１参照。）。
【先行技術文献】
【特許文献】
【０００４】
【特許文献１】特開２０１６−１９６２１号公報
【発明の概要】
【発明が解決しようとする課題】
【０００５】
ところが、従来の埋葬においては、年間数万トンにも及ぶ火葬した遺骨をその数十倍の量ともなる多量の骨壺に収容して埋葬することになるために、そのための製造コストや運搬コストなどを要するだけでなく、埋葬に要するスペースの確保が必要となっていた。
【課題を解決するための手段】
【０００６】
そこで、請求項１に係る本発明では、葬送体において、葬送する骨をバインダーで所定形状に成形し、その成形体を骨壺に収容することなく葬送可能とすることにした。
【０００７】
また、請求項２に係る本発明では、前記請求項１に係る本発明において、前記葬送体は、時間の経過によって分解することにした。
【０００８】
また、請求項３に係る本発明では、前記請求項２に係る本発明において、前記バインダーは、生分解される材料であることにした。
【０００９】
また、請求項４に係る本発明では、前記請求項３に係る本発明において、前記バインダーに分解菌を添加することにした。
【００１０】
また、請求項５に係る本発明では、前記請求項１〜請求項４のいずれかに係る本発明において、前記バインダーに有害物の溶出を防止する材料を添加することにした。
【００１１】
また、請求項６に係る本発明では、前記請求項１〜請求項５のいずれかに係る本発明において、酸化カルシウム化した前記骨を炭酸カルシウム化させることにした。
【００１２】
また、請求項７に係る本発明では、前記請求項１〜請求項６のいずれかに係る本発明において、前記葬送体は、時間の経過によって化石化することにした。
【００１３】
また、請求項８に係る本発明では、前記請求項１〜請求項７のいずれかに係る本発明において、前記葬送体は、水に浮くように浮力調整されていることにした。
【００１４】
また、請求項９に係る本発明では、葬送方法において、葬送する骨をバインダーで所定形状に成形し、その成形体を骨壺に収容することなく葬送することにした。
【発明の効果】
【００１５】
本発明では、葬送する骨を骨壺に収容することなく葬送することができる。
【図面の簡単な説明】
【００１６】
【図１】葬送体を示す断面図。
【図２】葬送体を示す断面図。
【図３】葬送体を示す断面図。
【図４】葬送体を示す断面図。
【図５】葬送体の組成を示す一覧表。
【発明を実施するための形態】
【００１７】
本発明に係る葬送体とは、葬送する骨を骨壺に収容することなく葬送することができるようにした成形体であり、葬送する骨をバインダーで所定形状に成形した成形体である。なお、葬送は、広く行われている火葬後の墓石への埋葬に限られず、海洋葬やダイバー葬や山野葬や樹木葬やキャンドル葬などの各種の形式のものが含まれる。
【００１８】
ここで、葬送する骨には、人の骨（火葬された骨や過去に土葬されていた骨など）や愛玩動物や家畜などの動物の骨が含まれる。骨は、全部に限られず一部であってもよく、単体であっても破片であってもよいが、粉末状にしたものが最も適している。
【００１９】
また、バインダーは、骨を成形することができる材料であればよく、添加物を含んでいてもよい。
【００２０】
さらに、葬送体は、所定形状すなわち一定の形状を保持する塊に成形されていればよく、形状が限定されるものではない。
【００２１】
本発明に係る葬送体は、葬送する骨をバインダーで所定形状に成形したものであればよく、バインダーの組成や添加物の有無やその組成、形状、成形方法などは特に限定されるものではない。
【００２２】
たとえば、葬送する骨を粉末状に粉砕し、これに糊等の固化材をバインダーとして添加して混合し、型で押圧して球形状に成形して製造することができる。
【００２３】
葬送する骨は、バインダーとの混合が容易で、バインダーや添加物と良好に接触して反応が促進され、固化に要する時間を短縮することができように、粉末状に粉砕することが望ましい。粒径は、バインダーや添加物との反応性や固化性を考慮して適宜設定することができる。なお、葬儀との関連で望ましくは２４時間以内に固化することが望まれる。また、将来の分骨などを考慮して、全ての骨を粉末にするだけでなく、一部の骨を粉砕せずに含有させてもよく、遺髪や歯などを含有させてもよい。
【００２４】
バインダーとしては、加熱や加水や加圧などによって固化する様々な固化材を用いることができるが、動物又は植物由来の自然物が好ましく、特に、時間の経過によって自然に分解される生分解性を有する材料や、時間の経過による乾燥や吸水や化学変化などで強制的に分解される分解性を有する材料が望ましい。
【００２５】
葬送体は、そのまま骨壺に収容することなく、葬送することができる。従来から広く行われている墓への埋葬の場合には、葬送体がそのまま形状を保持して埋葬されていることが適しているが、地球への回帰を望む海洋葬や樹木葬や山岳葬などのいわゆる自然回帰葬を行う場合には、葬送体が時間の経過とともに分解されることが適することもある。
【００２６】
そのため、バインダーには、膨張や吸水や化学変化などによって将来葬送体自体を分解させる材料を添加してもよい。特に、バインダーとして生分解される材料を用いた場合には、その材料の生分解を促進する分解菌を添加してもよい。
【００２７】
また、骨には生前の生活環境や食環境などの影響で有害な重金属や放射性物質等の有害物質が含有されていることもある。特に、火葬した場合には重金属や放射性物質等の濃度が濃縮されてしまう。
【００２８】
そのため、バインダーには、重金属や放射性物質などの有害物質の濃度を環境基準値以下にするように重金属や放射性物質などの有害物質の不溶化を図る材料を添加してもよい。なお、バインダー自体が重金属や放射性物質などの有害物質の溶出を防止する材料であってもよい。
【００２９】
また、骨が火葬されている場合、骨の化学組成が酸化カルシウム化してることがある。酸化カルシウム化した骨を加水成形すると、酸化カルシウムの水酸化反応が生じて、成形時に高温の水蒸気が発生するとともに膨張によって成形物が崩壊してしまい、成形された葬送体を生成することが困難となる。
【００３０】
そのため、酸化カルシウム化した骨は、バインダーと混合する前に、炭酸ガスを用いるなどして炭酸カルシウム化させておくのが望ましい。
【００３１】
また、海洋葬などのように海洋や河川や湖などに葬送体を葬送する場合、葬送体が短時間で水中に沈下してしまうことは望ましくない。
【００３２】
そのため、バインダーや添加物などによって、葬送体の浮力を調整することが望ましい。
【００３３】
また、樹木葬などのように地中に葬送体を埋葬する場合、葬送体が地中の珪酸と反応してオパール化したり、埋葬体が地中の炭酸カルシウムと反応した石化したりして、最終的に化石化するようにしてもよい。
【００３４】
葬送体の形状は、特に限定されるものではなく、球形や立方体形などの幾何学的な形状でもよく、鶏卵形や魚卵形などの自然物的な形状でもよく、生前の希望や遺族の希望を考慮することが望ましい。また、成形（固化）後に、表面にコーティングや着色等の装飾を施してもよい。
【００３５】
葬送体の成形方法としては、乾式・半乾式・湿式などの各種の加圧圧縮成形を用いることができる。
【００３６】
たとえば、図１に示すように、葬送体１は、粉砕した骨とバインダー等との混合物を最終的な形状に近い所定の形状に成形して成形体２を形成し、その表面を外装体３で被覆することができる。なお、別途外装体３で表面を被覆せずにロウ剤等を用いて最終的な形状にまで直接的に成形することもできる。この場合には、葬儀との関係で限られた時間（たとえば、２４時間）以内に最終的な形状に近い形状の中央部まで成形体２を成形（乾燥）させる必要がある。
【００３７】
そのため、図２に示すように、葬送体４は、最終的な形状と比較して薄板状に混合物を形成して複数の成形体５を成形し、複数の成形体５を積層した後に表面を外装体６で被覆することもできる。この場合には、成形体５を成形体２よりも薄く成形することができるので、成形（乾燥）に要する時間を短縮することができる。
【００３８】
また、図３に示すように、葬送体７は、最終的な形状に近い形状の中心部へ向けて通気孔８を設けた形状に混合物を成形して成形体９を形成するとともに、混合物の一部などで通気孔８を塞ぐためのキャップ10を成形し、成形体９の通気孔８をキャップ10で塞いだ表面を外装体11で被覆することもできる。この場合には、成形体９の通気孔８を通して中央部を成形（乾燥）させることができるので、成形（乾燥）に要する時間を短縮することができるとともに強度を増大させることができる。
【００３９】
さらに、葬送体の成形方法として、図４に示すように、葬送体12は、紙や布などの基材13の表面に粉末状の骨を付着させた後に基材13を巻き付けることで成形体14を成形し、表面を外装体15で被覆することもできる。この場合にも、成形体14を短時間で成形することができる。
【００４０】
上記葬送体において用いることが予想される原材料やその用途（目的）や加工方法や配合量については、図５に示す一覧表に示すように、一例を列挙することができる。なお、図５に示す物以外の物も適宜利用することができる。
【００４１】
上記葬送体の葬送方法は、特に限定されるものではないが、葬送体が分解する場合には、葬送場所を後で特定できるようにＧＰＳによって葬送位置を測定し記憶しておいたり葬送体と共に数珠等の分解されない物を一緒に葬送しておくことが望ましい。
【符号の説明】
【００４２】
1,4,7,12  葬送体
2,5,9,14  成形体
3,6,11,15  外装体
８  通気孔
10  キャップ
13  基材
【図１】
2019103741.tif 000003
【図２】
2019103741.tif 000004
【図３】
2019103741.tif 000005
【図４】
2019103741.tif 000006
【図５】
2019103741.tif 000007